(57)【要約】【課題】  製造性良く形成された外殻ハウジングによって組立性良く電装部品を外殻ハウジング内の所定位置に保護を伴わせて配置できるようにした電動工具用のバッテリーパックを提供する。【解決手段】  電動工具２に取り付けて電動工具２に給電させるための電動工具用のバッテリーパック１である。バッテリーパック１の外殻ハウジング１４を硬質材及び軟質材の一体成形品で構成する。外殻ハウジング１４の内面に軟質保持部３０を部分的に設ける。軟質保持部３０によって外殻ハウジング１４内の所定位置に内装する電装部品２１を個別に保持する。【選択図】図１
2008080420.tif 000002
【特許請求の範囲】
【請求項１】
電動工具に取り付けて電動工具に給電させるための電動工具用のバッテリーパックであって、バッテリーパックの外殻ハウジングを硬質材及び軟質材の一体成形品で構成し、この外殻ハウジングの内面に軟質保持部を部分的に設け、この軟質保持部によって外殻ハウジング内の所定位置に内装する電装部品を個別に保持して成ることを特徴とする電動工具用のバッテリーパック。
【請求項２】
電動工具に設けた工具側接続端子に接続させるためのバッテリー側接続端子を外殻ハウジング内に内装された端子台座に設け、この端子台座を外殻ハウジングの内面に設けた軟質保持部によって保持して成ることを特徴とする請求項１記載の電動工具用のバッテリーパック。
【請求項３】
バッテリーパックを制御する制御回路基板を外殻ハウジング内に内装すると共に、この制御回路基板を外殻ハウジングの内面に設けた軟質保持部によって保持して成ることを特徴とする請求項１記載の電動工具用のバッテリーパック。
【請求項４】
バッテリーパックに備えた蓄電池の温度を検出する温度センサを外殻ハウジング内に内装すると共に、この温度センサを外殻ハウジングの内面に設けた軟質保持部によって保持して成ることを特徴とする請求項１記載の電動工具用のバッテリーパック。
【請求項５】
バッテリーパックに備えた複数本の蓄電池の電極間を接続する導電金具を外殻ハウジング内に内装すると共に、この導電金具を外殻ハウジングの内面に設けた軟質保持部によって保持して成ることを特徴とする請求項１記載の電動工具用のバッテリーパック。
【発明の詳細な説明】
【技術分野】
【０００１】
本発明は、電動工具用のバッテリーパックに関するものである。
【背景技術】
【０００２】
従来から、電気機器において、良好な製造性を期して外ケースの全内面に亘って弾性材を積層一体化し、この弾性材によって電装部品を内装した内ケースを保持することが知られている（たとえば特許文献１参照）。
【０００３】
しかしながら、上記弾性材は略一定の厚みを有した層形状に形成されたものであり、外ケースの内面形状を一回り小さくした外面形状の内ケースは嵌合させて保持可能であるが、厳密に、個々の電装部品をその保護を伴って位置決め配置することはできない。
【０００４】
すなわち、電装部品はその用途から個々異なる重量、異形形状を有し、個々の電装部品を保護を伴って位置決め配置するには、各電装部品に合わせて弾性材を形成してこの弾性材で各電装部品を個別にケース等のハウジングに保持しなければならないのであり、上記略一定の厚みを有した層形状の弾性材では異形の電装部品全てを保護した状態で保持することなどできないのである。仮に上記略一定の厚みを有した層形状の弾性材が個々の電装部品全てを保持できたとしても、その保護の程度にムラが生じるのは不可避である。保護の甘い電装部品では外部衝撃にて振動が誘発されることもあり、この誘発された振動が弾性体を介して他の電装部品に伝播される不具合が生じる恐れすらある。
【０００５】
しかして、外ケース内に個々の電装部品を保護を伴って位置決め配置させるには、特許文献２のように、外ケースと各電装部品との間に個別に別体の弾性体を介装することが行なわれているのが現状であるが、電装部品毎に別体の弾性体を介装させながら行う外ケース内への電装部品の組み込み作業は良好とは言い難いものであった。つまり外ケース内に組み込む電装部品が増えれば増えるほどその組立性は低下してしまうのである。
【特許文献１】実開平２−１０１４４７号公報
【特許文献２】特開２００４−３１２９５号公報
【発明の開示】
【発明が解決しようとする課題】
【０００６】
本発明は上記の点に鑑みてなされたものであり、その目的とするところは、製造性良く形成された外殻ハウジングによって組立性良く電装部品を外殻ハウジング内の所定位置に保護を伴わせて配置できるようにした電動工具用のバッテリーパックを提供することを課題とするものである。
【課題を解決するための手段】
【０００７】
上記課題を解決するために請求項１に係る電動工具用のバッテリーパックは、電動工具２に取り付けて電動工具２に給電させるための電動工具用のバッテリーパック１であって、バッテリーパック１の外殻ハウジング１４を硬質材及び軟質材の一体成形品で構成し、この外殻ハウジング１４の内面に軟質保持部３０を部分的に設け、この軟質保持部３０によって外殻ハウジング１４内の所定位置に内装する電装部品２１を個別に保持して成ることを特徴とする。
【０００８】
これによると、外殻ハウジング１４の内面に軟質保持部３０を部分的に設けるのに、外殻ハウジング１４を硬質材及び軟質材の一体成形で形成する際に製造性良く形成できるのであり、そして、バッテリーパック１の組み立て時には上記軟質保持部３０によって電装部品２１を保持できるのであって、電装部品２１は軟質保持部３０による保護を受けながら組立性良く外殻ハウジング１４内の所定位置に位置決めして配置できる。つまり、製造性良く形成された外殻ハウジング１４によって組立性良く電装部品２１を外殻ハウジング１４内の所定位置に耐衝撃性等の保護を伴わせて配置できるのである。
【０００９】
また請求項２に係る電動工具用のバッテリーパックは、請求項１において、電動工具２に設けた工具側接続端子に接続させるためのバッテリー側接続端子２２を外殻ハウジング１４内に内装された端子台座２４に設け、この端子台座２４を外殻ハウジング１４の内面に設けた軟質保持部３０によって保持して成ることを特徴とする。
【００１０】
これによると、電装部品２１である端子台座２４を、製造性良く形成された外殻ハウジング１４によって組立性良く外殻ハウジング１４内の所定位置に保護を伴わせて配置できる。ここで、端子台座２４にはバッテリー側接続端子２２が設けられているから、端子台座２４の所定位置への配置によるとバッテリー側接続端子２２も同様に所定位置に配置できる。しかして、バッテリー側接続端子２２と電動工具２に設けた工具側接続端子との接続を、位置ズレによる接続不良を発生させずに、確実に行わせることが可能となる。また、バッテリーパック１に対して軟質保持部３０によって保持されたバッテリー側接続端子２２は、工具側接続端子との接続状態では、軟質保持部３０を変形させることで、工具側接続端子（電動工具２側）に従動する状態にできる。電動工具２はその駆動時には振動が多々発生するのであって、この振動は工具側接続端子から接続されたバッテリー側接続端子２２に伝播されるのであるが、このとき上述のようにバッテリー側接続端子２２が工具側接続端子に従動する状態であれば、バッテリー側接続端子２２と工具側接続端子との間で振動による接続不良を発生させず、安定した端子接続構造を確保できる。
【００１１】
また請求項３に係る電動工具用のバッテリーパックは、請求項１において、バッテリーパック１を制御する制御回路基板２５を外殻ハウジング１４内に内装すると共に、この制御回路基板２５を外殻ハウジング１４の内面に設けた軟質保持部３０によって保持して成ることを特徴とする。
【００１２】
これによると、電装部品２１である制御回路基板２５を、製造性良く形成された外殻ハウジング１４によって組立性良く外殻ハウジング１４内の所定位置に保護を伴わせて配置できる。ここで、制御回路基板２５は特に振動等に弱い電装部品２１であるが、軟質保持部３０で保持させることによって耐衝撃性等の保護効果を供与でき、バッテリーパック１の耐久性の向上を図り得る。
【００１３】
また請求項４に係る電動工具用のバッテリーパックは、請求項１において、バッテリーパック１に備えた蓄電池１１の温度を検出する温度センサ２６を外殻ハウジング１４内に内装すると共に、この温度センサ２６を外殻ハウジング１４の内面に設けた軟質保持部３０によって保持して成ることを特徴とする。
【００１４】
これによると、電装部品２１である温度センサ２６を、製造性良く形成された外殻ハウジング１４によって組立性良く外殻ハウジング１４内の所定位置に保護を伴わせて配置できる。ここで、温度センサ２６は正常な温度検出の確保のためには高い配置精度が必要とされるが、軟質保持部３０に保持させることで位置決めを伴った位置決め配置が可能であり、つまり温度センサ２６の正常機能を図ることができる。
【００１５】
また請求項５に係る電動工具用のバッテリーパックは、請求項１において、バッテリーパック１に備えた複数本の蓄電池１１の電極間を接続する導電金具２９を外殻ハウジング１４内に内装すると共に、この導電金具２９を外殻ハウジング１４の内面に設けた軟質保持部３０によって保持して成ることを特徴とする。
【００１６】
これによると、電装部品２１である導電金具２９を、製造性良く形成された外殻ハウジング１４によって組立性良く外殻ハウジング１４内の所定位置に保護を伴わせて配置できるのであり、導電金具２９の配置不良による蓄電池１１間の短絡等の不具合を防止できる。
【発明の効果】
【００１７】
本発明にあっては、製造性良く形成された外殻ハウジングによって組立性良く電装部品を外殻ハウジング内の所定位置に耐衝撃性等の保護を伴わせて配置できる、という利点を有する。
【発明を実施するための最良の形態】
【００１８】
以下、本発明を添付図面に示す実施形態に基いて説明する。
【００１９】
本例のバッテリーパック１は、図１（ｂ）のような電動工具２に取り付けて、コードレス状態で電動工具２を使用できるようにした、電動工具用のバッテリーパックである。ここで、電動工具２は、筒状の工具本体部３と、この工具本体部３から径外方向（下方）に突出するグリップ部４を有しており、電動工具用のバッテリーパック１は、グリップ部４の突出先端部(下端)に設けた工具側装着部５に取り外し自在に装着される。電動工具２の工具本体部３には、後方側から順に、バッテリーパック１の給電により駆動するモータ６、モータ６の駆動出力を工具用出力に減速等して変換する機構部７、工具用出力を出力させる出力部８が内装されている。出力部８には工具本体部３の筒軸方向に突出するように工具が着脱自在に取着される。グリップ部４には、使用者の把持した手によって電動工具２の駆動操作をする操作スイッチ９が設けられると共に、上記操作スイッチ９の操作を受けてモータ６等の駆動制御を行なう制御回路部１０が内装されている。本例の電動工具２はいわゆるインパクトドライバーである。便宜上、工具本体部３に取り付けた工具の突出方向を前方（矢印ａ）と称し（その反対方向を後方（矢印ｂ）と称する）、工具本体部３からのグリップ部４の突出方向を下方（矢印ｃ）と称し（その反対方向を上方（矢印ｄ）と称する）、上記上下方向及び前後方向にそれぞれ直交する方向を左右方向（矢印ｅ）と称して説明をする。
【００２０】
本例のバッテリーパック１は、図１（ａ）や図２，３のように、蓄電池１１を内装した函状のバッテリー本体部１２と、このバッテリー本体部１２から上方に突出した台状のバッテリー側装着部１３とを有しており、外殻ハウジング１４でこれらの外形が形成されている。外殻ハウジング１４は、構造的には上下に２分されたような上部外殻ハウジング１４ａと下部外殻ハウジング１４ｂとで構成されており、材質的にはエラストマーなどの軟質材と硬質材との２色成形で射出成形された樹脂成形品である。詳しくは、硬質材によって外殻ハウジング１４の全体形状が形成され、軟質材は後述のように外殻ハウジング１４の部分的な部位（軟質保持部３０等）の形成に用いられる。
【００２１】
下部外殻ハウジング１４ｂはバッテリー本体部１２の下半部分を構成するような上方に開口する容器形状に施されており、その内部に複数本（本例では４本）の横向きにされた蓄電池１１が前後方向に並設した状態で配設されている。なお本例の蓄電池１１には従来のニッケル水素電池に比べて高出力を確保できるリチウムイオン充電池が用いられており、内装する充電池の本数を抑えてバッテリーパック１の小型化が図られている。上部外殻ハウジング１４ａはバッテリー側装着部１３とバッテリー本体部１２の上半部分とを構成するような下方に開口する容器形状に施されている。上部外殻ハウジング１４ａのバッテリー本体部１２の上半部分には、各蓄電池１１の上面の円弧面に連続して合致するような波板状の電池押え１５が収納され、外殻ハウジング１４を形成させるべく上部外殻ハウジング１４ａと下部外殻ハウジング１４ｂとを合致させた際に、電池押え１５が各蓄電池１１の上面を押さえて、各蓄電池１１を外殻ハウジング１４内の所定位置に強固に位置決め固定させている。
【００２２】
バッテリー側装着部１３は上方に凹む凹状の工具側装着部５の内部に挿入可能な台状部位であり、その左右両端部には、工具側装着部５の左右内面に形成した水平板状の係止突片１６をスライドさせて挿入、係止させる複数の逆Ｌ字型のＬ字フック１７が形成されると共に、Ｌ字フック１７に挿入した係止突片１６の抜け止めを図る係合突部１８が突没自在に設けられている。本例ではＬ字フック１７及び係止突片１６は前後に３つ並ぶように形成されており、係合突部１８は前端部の左右一対のＬ字フック１７に対応して突没自在に設けられている。ここで、係合突部１８は、バッテリー側装着部１３内に内装した連動機構２０を介してバッテリーパック１の前端面に設けた着脱用操作釦１９に連動して突没自在にされる。なお連動機構２０にはＬ字フック１７に挿入係止した係止突片１６に抜け止めを施すために係合突部１８を突出付勢するバネ（図示せず）が設けられている。すなわち、バッテリーパック１の電動工具２への取り付けは、図７（ａ）（ｂ）の順で、工具側装着部５の内部にその下方からバッテリー側装着部１３を挿入して工具側装着部５の内部でバッテリー側装着部１３を後方へスライドさせ、突出した係合突部１８によってＬ字フック１７と係止突片１６とを抜け止めさせて係合状態にすることで行われるのであり、一方、バッテリーパック１の電動工具２からの取り外しは、使用者が着脱用操作釦１９をバネの付勢に抗して押し込んで係合突部１８を外殻ハウジング１４内に没入せしめＬ字フック１７と係止突片１６との係合状態を解除して、図７（ｂ）（ａ）の順で、工具側装着部５の内部でバッテリー側装着部１３を前方へスライドさせバッテリー側装着部１３を工具側装着部５の内部から下方に抜くことで行われる。なお、バッテリー側装着部１３は蓄電池１１に充電させるために充電器の充電器側装着部（図示せず）にも同様に着脱自在に装着可能である。
【００２３】
また、バッテリー側装着部１３にはバッテリー側接続端子２２が設けられており、バッテリーパック１を電動工具２に取り付けた際には、このバッテリー側接続端子２２は工具側装着部５に設けた工具側接続端子（図示せず）に接続される。ここで、バッテリー側接続端子２２や工具側接続端子はそれぞれ電気を流す給電用端子２２ａや制御信号を流す制御用端子２２ｂで構成されている。バッテリー側接続端子２２の給電用端子２２ａはバッテリー側装着部１３の後端面に外方に臨むようにしてバッテリー側装着部１３の内部に配置されており、バッテリー側接続端子２２の制御用端子２２ｂはバッテリー側装着部１３の上面から凹没した端子挿入用凹所２３に配置されており、いずれの端子２２ａ，２２ｂもバッテリー側装着部１３の側面及び上面の外面ラインよりも突出しないようにしてバッテリーパック１を落下させた際に直接衝撃が加えられないように保護が図られている。
【００２４】
ここで、バッテリー側接続端子２２（給電用端子２２ａ及び制御用端子２２ｂ）は端子台座２４に一体に形成されている。端子台座２４は本例では制御回路基板２５で構成されているが、制御回路基板２５とは別に板状の成形品で構成することもできる。この端子台座２４は、図１（ａ）や図４のように、上部外殻ハウジング１４ａの左右内面の適宜箇所に部分的に設けた軟質保持部３０（台座用軟質保持部３０ａ）によって位置決めを伴って保持されている。この台座用軟質保持部３０ａは板状の端子台座２４の端部を嵌合できる断面コ字形状に形成されている。
【００２５】
具体的に、制御回路基板２５には、蓄電池１１の温度を検出する温度センサ２６が接続されると共に、蓄電池１１の出力を伝える電送金具２７から至るリード線（図示せず）が接続されており、バッテリー側接続端子２２の制御用端子２２ｂでは、上記温度センサ２６からの温度信号や上記リード線からの電圧信号などの制御信号が出力されるようになっている。上記バッテリー側接続端子２２の制御用端子２２ｂの出力は接続した工具側接続端子の制御用端子を経て電動工具２の制御回路部１０に至るようにされ、電動工具２の動作制御に資するようにされている。
【００２６】
ここで、本例の温度センサ２６にはサーミスタが用いられており、この温度センサ２６は、制御回路基板２５の下方位置において並設した蓄電池１１間の溝１１ａ内部に挿入されるようにして配置されている。詳しくは、図１（ａ）や図５のように、上部外殻ハウジング１４ａの上面の適宜箇所に下方に突出する突形状の軟質保持部３０（センサ用軟質保持部３０ｂ）が部分的に設けられており、このセンサ用軟質保持部３０ｂの下端部が制御回路基板２５に設けた貫通孔２８を通って上記温度センサ２６を上方から押圧することで、温度センサ２６の位置決めを伴わせた保持を可能にさせている。なお、本例のセンサ用軟質保持部３０ｂにあっては、端子挿入用凹所２３の下面を被覆するように形成された端子用軟質被覆部３１ａと軟質連結部３２を介して一体に形成されている。端子用軟質被覆部３１ａはバッテリーパック１を電動工具２に取り付けた際に工具側接続端子が端子挿入用凹所２３の下面に強く当接することを回避するためのクッション材である。
【００２７】
また、複数の蓄電池１１は外殻ハウジング１４の左右端部にある電極がそれぞれ導電金具２９で接続されており、つまり導電金具２９によって複数の蓄電池１１を電気的に直列に接続させているが、この導電金具２９も、図６のように、下部外殻ハウジング１４ｂの内面の適宜箇所に設けた軟質保持部３０（導電金具用軟質保持部３０ｃ）によって位置決めを伴って保持されている。なお、本例の導電金具用軟質保持部３０ｃにあっては、外殻ハウジング１４の側外面を被覆するように形成された衝撃用軟質被覆部３１ｂと一体に形成されている。この衝撃用軟質被覆部３１ｂは、バッテリーパック１を誤って落下させた際に外殻ハウジング１４にかかる衝撃を緩和するためのクッション材である。
【００２８】
上述のように外殻ハウジング１４の内面には、端子台座２４（制御回路基板２５）や温度センサ２６や導電金具２９などの電装部品２１を、それぞれ各電装部品２１に対応して保持できるようにした軟質材で構成された軟質保持部３０（台座用軟質保持部３０ａ、センサ用軟質保持部３０ｂ、導電金具用軟質保持部３０ｃ）が部分的に設けられているが、これら軟質保持部３０は外殻ハウジング１４を硬質材及び軟質材の一体成形（２色成形）で形成する際に製造性良く形成できる。そして、これら軟質保持部３０にあらかじめ電装部品２１を保持させておくことで、バッテリーパック１の組み立て時には従来のように別体の弾性体を介装させながらの煩雑な組立作業を回避でき、良好な組立作業によってバッテリーパック１の組み立てを行うことができるのである。バッテリーパック１の組み立て後には各電装部品２１はそれぞれの軟質保持部３０による保護を受けながら外殻ハウジング１４内の所定位置に位置決めして配置されることとなる。ここで、軟質保持部３０による保護とは、軟質保持部３０がバッテリーパック１に伝播した振動や外部衝撃を吸収することができることによる、保持した電装部品２１に対する耐衝撃性の向上効果の付与などが挙げられる。つまり、本例のバッテリーパック１にあっては、製造性良く形成された外殻ハウジング１４によって組立性良く電装部品２１を外殻ハウジング１４内の所定位置に耐衝撃性等の保護を伴わせて配置できたものである。そして特に本例のバッテリーパック１は多々振動が発生する電動工具向けであるから軟質保持部３０による電装部品２１の保護の利点を有効に発揮させることができたものである。
【００２９】
殊に、バッテリー側接続端子２２が一体に設けられた端子台座２４を台座用軟質保持部３０ａで位置決めを伴って保持したことによると、バッテリー側接続端子２２が正確な位置に位置決め配置されるのであり、バッテリー側接続端子２２と電動工具２に設けた工具側接続端子との接続を、位置ズレによる接続不良を発生させずに、確実に行わせることが可能となる、といった利点も有することとなっている。
【００３０】
更に言うと、バッテリーパック１に対して軟質保持部３０によって保持されたバッテリー側接続端子２２は、工具側接続端子との接続状態では、軟質保持部３０を変形させることで、工具側接続端子（電動工具２側）に従動する状態になる。電動工具２はその駆動時には機構部７等から振動が多々発生するのであって、この振動は工具側接続端子から接続されたバッテリー側接続端子２２に伝播されるのであるが、このとき上述のようにバッテリー側接続端子２２が工具側接続端子に従動する状態であれば、バッテリー側接続端子２２と工具側接続端子との間で振動による接続不良を発生させず、安定した端子接続構造を確保できる、といった利点も有するのである。つまり、バッテリーパック１から電動工具２への給電等を確実に行なわせて電動工具２の正常駆動が確保されるものである。
【００３１】
また、本例では、端子台座２４は制御回路基板２５にて構成されて台座用軟質保持部３０ａによって保持されているが、このように制御回路基板２５を軟質保持部３０で保持したことにより、特に振動等に弱い電装部品２１である制御回路基板２５に対して軟質保持部３０による耐衝撃性等の保護効果を付与させることができ、バッテリーパック１の耐久性の向上が図られている。
【００３２】
また、本例では、正常な温度検出を確保するには高い配置精度が必要とされる温度センサ２６がセンサ用軟質保持部３０ｂによって位置決め配置されており、つまり温度センサ２６の正確な位置決め配置が確保されたことによって温度センサ２６の正常機能の確保が有効に図られている、という利点も有している。また、本例では、電装部品２１である導電金具２９を、製造性良く形成された外殻ハウジング１４によって組立性良く外殻ハウジング１４内の所定位置に保護を伴わせて配置させており、導電金具２９の配置不良による蓄電池１１間の短絡等の不具合の防止が有効に図られている、という利点も有している。
【００３３】
また、本例では、一体に形成したセンサ用軟質保持部３０ｂと端子用軟質被覆部３１ａ、ならびに導電金具用軟質保持部３０ｃと衝撃用軟質被覆部３１ｂにあるように、外殻ハウジング１４の内面に設けた軟質保持部３０と外殻ハウジング１４の外面に設けた軟質被覆部３１とが軟質連結部３２を介して一体化されている。軟質連結部３２は、硬質材の外殻ハウジング１４における軟質保持部３０及び軟質被覆部３１に対応する箇所に内外に貫通する貫通孔３２ａを穿設しておき、軟質保持部３０及び軟質被覆部３１を形成する２色成形の軟質材の充填時に上記貫通孔２８に軟質材を充填させることで形成される。このように軟質材の軟質保持部３０と軟質被覆部３１とを軟質連結部３２を介して一体化させると、軟質材と硬質材との間で発生する恐れのある層間剥離を有効に回避できるのであり、バッテリーパック１の耐久性を向上できる。なお、図示はしないが、台座用軟質保持部３０ａに対応した外殻ハウジング１４の外面位置に衝撃用軟質被覆部３１ｂを設け、この衝撃用軟質被覆部３１ｂと台座用軟質保持部３０ａとを軟質連結部３２で一体に形成しても好ましい。
【図面の簡単な説明】
【００３４】
【図１】本発明の実施の形態の例であり、（ａ）はバッテリーパックの側断面図であり、（ｂ）はバッテリーパックを取り付ける電動工具の側面図である。
【図２】同上のバッテリーパックの斜視図である。
【図３】同上の上部外殻ハウジングを外した状態のバッテリーパックの斜視図である。
【図４】同上のバッテリーパックの要部の正面断面図である。
【図５】同上のバッテリーパックの要部の側断面図である。
【図６】同上のバッテリーパックの要部の平面断面図である。
【図７】（ａ）（ｂ）は同上のバッテリーパックの電動工具への着脱作業を順に説明する要部の側面図である。
【符号の説明】
【００３５】
１  バッテリーパック
２  電動工具
１４  外殻ハウジング
２１  電装部品
２４  端子台座
２５  制御回路基板
２６  温度センサ
２９  導電金具
３０  軟質保持部
３０ａ  台座用軟質保持部
３０ｂ  センサ用軟質保持部
３０ｃ  導電金具用軟質保持部
【図１】
2008080420.tif 000003
【図２】
2008080420.tif 000004
【図３】
2008080420.tif 000005
【図４】
2008080420.tif 000006
【図５】
2008080420.tif 000007
【図６】
2008080420.tif 000008
【図７】
2008080420.tif 000009